(57)【要約】【課題】着衣、脱衣時の介護者及び被介護者の肉体的負担の少ない介護用衣服を提供する。【解決手段】本発明に係る介護用衣服１は、片袖のみを有する一対の片袖衣服２ａ、２ｂからなり、一対の片袖衣服２ａ、２ｂを重ね着をする要領で着用する。片袖衣服２ａ（２ｂ）は、袖４ａ（４ｂ）を有する側１０ａ（１０ｂ）は前身頃６ａ（６ｂ）と後身頃８ａ（８ｂ）とが連結されており、袖４ａ（４ｂ）が無い側は前身頃６ａ（６ｂ）と後身頃８ａ（８ｂ）とが脇下の上半身側面部でスナップボタン１４ａ（１４ｂ）を介して着脱可能に連結されている。【選択図】図１
2010084296.tif 000002
【特許請求の範囲】
【請求項１】
片袖のみを有する一対の片袖衣服からなる介護用衣服であって、
前記片袖衣服は、片袖を有する側は前身頃と後身頃とが連結されており、袖が無い側は前身頃と後身頃とが脇下の上半身側面部で連結手段を介して着脱可能に連結されていることを特徴とする介護用衣服。
【請求項２】
前記片袖衣服は、股下以上の丈を有することを特徴とする請求項１に記載の介護用衣服。
【請求項３】
前記片袖衣服は、伸縮性を有する生地からなり身体に密着することを特徴とする請求項１又は２に記載の介護用衣服。
【請求項４】
前記連結手段は、スナップボタンであることを特徴とする請求項１から３のいずれか１項に記載の介護用衣服。
【請求項５】
前記一対の片袖衣服は、それぞれ裏地と表地とを備え、裏地は下着用の生地であり、表地は上着用の生地からなることを特徴とする請求項１から４のいずれか１項に記載の介護用衣服。
【発明の詳細な説明】
【技術分野】
【０００１】
本発明は、介護用衣服に関し、特に、着衣、脱衣時の介護者及び被介護者の肉体的負担の少ない介護用衣服に関する。
【背景技術】
【０００２】
障害者、老人などであって自力で着衣、脱衣が困難な人は、着衣、脱衣時に介護者の助けが必要である。特に寝たきりの被介護者に衣服を着せるには、被介護者を何度も左右に動かし、横向け、仰向けにしたり、抱きかかえたりする必要があり、この際、介護者及び被介護者に大きな肉体的負担、精神的負担が掛かる。
【０００３】
この問題の解決を目指した介護用衣服として、袖が無く襟ぐりのみを設けた矩形の２枚の布を前身頃、後身頃とし、これらを面ファスナーなどで連結する介護用衣服（例えば特許文献１参照）、服を中央で左右に２分割し、面ファスナーでそれらを連結する介護用衣服が提案されている。（例えば特許文献２参照）。また、特許文献３では、中央部で２分割した半割寝巻きを一対として、右側半割寝巻きの前身頃端部と左側半割寝巻きの左脇下部とを紐で結び、左側半割寝巻きの前身頃端部と右側半割寝巻きの右脇下部とを紐で結び、更に、右側半割寝巻きの後身頃端部と左側半割寝巻きの左脇下部とを紐で結び、左側半割寝巻きの後身頃端部と右側半割寝巻きの右脇下部とを紐で結ぶ、左右の半割寝巻きを紐で４箇所連結し、一着の寝巻きとして使用する介護用衣服が開示されている。
【特許文献１】特開２００７−１５４３２５号公報
【特許文献２】特開２００１−９８４０３号公報
【特許文献３】特開平１０−１３０９１６号公報
【発明の開示】
【発明が解決しようとする課題】
【０００４】
特許文献１に記載の介護用衣服では、袖が無くまた前身頃、後身頃連結部の隙間が多く保温性に欠けているため、冬季には、この上に重ねて介護用衣服を着用しなければならず、その着用に多大の労力を要するため問題の解決に至らない。また特許文献２記載の介護用衣服では、背中に接する部位に連結のための面ファスナーがあるので皮膚を圧迫、刺激し床ずれができ易いといった問題がある。また本衣服は、一対の半割衣服を背中で連結させる必要があるので、介護者は被介護者の姿勢を横向きに維持した状態で、半割衣服を連結させなければならず、介護者及び被介護者の肉体的負担が大きい。また特許文献３に記載の介護用衣服では、左右の半割寝巻きを、左右の脇下それぞれ２箇所、計４箇所で連結する構造となっているので、着用させるには被介護者の身体を何度も横向けにする必要がある。寝たきりの老人又は病人にとって横向けの姿勢を何度も繰り返すと、“目が廻る”、“気分が悪くなる”などの体調不調を招き易い。また特許文献２に記載の介護用衣服と同様に、介護者は被介護者の姿勢を横向きに維持しつつ、左右の半割寝巻きを背中に近い脇下部分で連結するという煩雑な作業が必要で、介護者及び被介護者の肉体的負担が大きい。
【０００５】
本発明の目的は、着衣、脱衣時の介護者及び被介護者の肉体的負担の少ない介護用衣服を提供することである。
【課題を解決するための手段】
【０００６】
請求項１に記載の本発明は、片袖のみを有する一対の片袖衣服からなる介護用衣服であって、前記片袖衣服は、片袖を有する側は前身頃と後身頃とが連結されており、袖が無い側は前身頃と後身頃とが脇下の上半身側面部で連結手段を介して着脱可能に連結されていることを特徴とする介護用衣服である。
【０００７】
請求項２に記載の本発明は、請求項１に記載の介護用衣服において、前記片袖衣服は、股下以上の丈を有することを特徴とする。
【０００８】
請求項３に記載の本発明は、請求項１又は２に記載の介護用衣服において、前記片袖衣服は、伸縮性を有する生地からなり身体に密着することを特徴とする。
【０００９】
請求項４に記載の本発明は、請求項１から３のいずれか１項に記載の介護用衣服において、前記連結手段は、スナップボタンであることを特徴とする。
【００１０】
請求項５に記載の本発明は、請求項１から４のいずれか１項に記載の介護用衣服において、前記一対の片袖衣服は、それぞれ裏地と表地とを備え、裏地は下着用の生地であり、表地は上着用の生地からなることを特徴とする。
【発明の効果】
【００１１】
本発明に係る介護用衣服は、片袖のみを有する一対の片袖衣服からなる介護用衣服であって、片袖衣服は、片袖を有する側は前身頃と後身頃とが連結されており、袖が無い側は前身頃と後身頃とが脇下の上半身側面部で連結手段を介して着脱可能に連結されているので、一対の片袖衣服を互いに連結させることなく着衣することができる。これにより被介護者の姿勢を大きく変えることなく、又被介護者の姿勢を何度も変えることなく着衣及び脱衣させることが可能となり、着衣及び脱衣時の介護者及び被介護者の肉体的負担が少ない。
【００１２】
また本発明によれば、前記片袖衣服は、股下以上の丈を有するので寝巻きなど多用途に使用可能であり、丈を長くし寝巻きとすれば寝巻き用のズボンを着用させる必要が無く、着衣及び脱衣時の介護者及び被介護者の肉体的負担を軽減できる。
【００１３】
また本発明によれば、前記片袖衣服の生地は、伸縮性を有する生地からなり身体に密着するので、就寝中にしわができにくく、しわなどによる局部的な圧迫、刺激に起因する床ずれを防止できる。また、医師による検診の際には、伸縮性を利用し必要な部位の着衣を少し押し広げるのみで良く、着衣を大きくはだける必要が無いので、被介護者の精神的負担を軽減できる。
【００１４】
また本発明によれば、前記連結手段は、スナップボタンであるので、簡単に片袖衣服の前身頃と後身頃とを面で連結させることができる。面で連結させることでしわができにくく、さらに紐止のようにこぶができないので、着用後も楽である。
【００１５】
また本発明によれば、前記一対の片袖衣服は、それぞれ裏地と表地とを備え、裏地は下着用の生地であり、表地は上着用の生地からなるので、上着と下着とを一回で着用することが可能となり、着せ替えの回数を半分とすることができる。これにより着衣、脱衣時の介護者及び被介護者の肉体的負担を軽減することができる。
【発明を実施するための最良の形態】
【００１６】
図１は本発明の第一実施形態としての介護用衣服１を示す立体図である。図２は本発明の第一実施形態としての介護用衣服１を組み合わせた状態を示す立体図である。図３は本発明の第一実施形態としての介護用衣服１を被介護者１００に着用させる手順を示す図である。
【００１７】
介護用衣服１は、一対の片袖衣服２ａ、２ｂからなる。片袖衣服２ａ、２ｂは、同一の大きさ、形状を有し、左右の区別さらには前後の区別がない。以下、便宜上、片袖衣服２ａを右側用の片袖衣服、片袖衣服２ｂを左側用の片袖衣服とする。右側用の片袖衣服２ａと左側用の片袖衣服２ｂとは同一であるので、右側用の片袖衣服２ａには添え字ａを付し、左側用の片袖衣服２ｂには添え字ｂを付し、右側用の片袖衣服２ａを中心に説明する。
【００１８】
片袖衣服２ａは、袖４ａ、前身頃６ａ及び後身頃８ａからなる、右袖を有し反対側は袖及び袖ぐりのない衣服である。袖４ａは、袖４ａと前身頃６ａ及び後身頃８ａとが一続きの生地から裁断、縫製され形成されており、袖４ａの内側（脇側）には、まち５ａが取付けられている。袖４ａは半袖となっているが、袖の長さは特に限定されないので長袖、７部袖であってもよいことはもちろん、ケースによっては袖のないノースリーブとしてもよく、袖の幅、形状も特に限定されない。
【００１９】
前身頃６ａと後身頃８ａとは同じ大きさ同じ形状であり、前身頃６ａは上半身の前面、後身頃８ａは上半身の背面を覆い、これらで上半身を覆うことができる大きさであるが、左袖を有しておらずさらに左肩部１０２は露出する形状となっている。前身頃６ａと後身頃８ａとは、袖４ａの側１０ａは、肩の部分は繋がった状態で一続きの生地から裁断され、脇下の上半身側面部で縫付けられている。一方、袖のない側はスナップボタン１４ａを介して開閉着脱可能な構造となっており、スナップボタン１４ａを介して前身頃６ａと後身頃８ａとを脇下の上半身側面部で留めることができる。
【００２０】
スナップボタン１４ａは、前身頃６ａと後身頃８ａとを開閉着脱可能に連結する連結手段であり、前身頃６ａの袖のない側の端辺１２ａ近傍にスナップボタン１４ａの凹型（上型）１５ａが複数個、ここでは高さ方向に６個取付けられている。同様に後身頃８ａの袖のない側の端辺１３ａ近傍にスナップボタン１４ａの凸型（下型）１６ａが高さ方向に６個取付けられている。前身頃６ａに凸型（下型）１６ａを、後身頃８ａに凹型（上型）１５ａを設けてもよいことはもちろんである。片袖衣服２ａでは、前身頃６ａと後身頃８ａとを連結するスナップボタン１４ａが高さ方向に複数個設けられているので、前身頃６ａと後身頃８ａとを面で連結させることができる。これにより片袖衣服２ａを着用したときしわができにくい。
【００２１】
前身頃６ａと後身頃８ａとを体側部で連結する連結手段は、必ずしもスナップボタン１４ａに限定されるものではない。前身頃６ａと後身頃８ａとを簡単かつ確実に開閉着脱可能に連結できればよく、さらに連結部が平坦であればより好ましい。このような連結手段としては、スナップボタン１４ａのほかホック、ボタンなどが例示される。このほか衣服の連結手段として公知のスライドファスナー、マジックテープ（登録商標）などの面ファスナーを使用することも可能であるが耐久性の点、さらに面ファスナーの場合、面ファスナーがきちっと連結されていないと面ファスナーのループ又はフックが被介護者１００に当たり被介護者１００に苦痛を与える場合もある点を考慮すれば、スナップボタン、ホック、ボタンが好ましい。
【００２２】
片袖衣服２ａの生地は、特定の生地に限定されるものではなく、公知の衣服に使用される生地、例えば綿などの天然繊維からなる生地、ポリエステルなどの化学繊維からなる生地を使用することが可能である。寝たきりの老人などの場合には、着衣にしわができると床ずれを起こしやすいので、しわのできにくい衣服が好ましい。このためには生地を伸縮性のある生地、例えばポリウレタンを含有する生地とすれば被介護者１００の体に着衣がフィットし、しわができにくい。また、伸縮性のある生地を使用すれば伸縮性を利用し、必要な部位の着衣を少し押し広げるのみで医師による診察が可能となるので、脱衣の必要がなく被介護者１００の肉体的負担のみなならず精神的負担も軽減できる。
【００２３】
また片袖衣服２ａを表地及び裏地とで構成してもよい。例えば、裏地を綿など下着（肌着）用の生地とし、表地を化学繊維等からなる上着用の生地とすれば、下着と上着とを一度に着せることが可能であり、介護者及び被介護者の負担が少なくなる。このとき表地と裏地とを着脱可能とすれば、下着と上着とを一度に洗濯することができるほか、下着と上着のいずれか一方のみを洗濯することも可能であり経済的である。
【００２４】
介護用衣服１は、次の要領で製造することができる。以下、片袖衣服２ａを例として製造手順の一例を示す。袖４ａと前身頃６ａと後身頃８ａとが肩の部分で連結し、袖４ａの脇下部分及び前身頃６ａと後身頃８ａの袖４ａの側１０ａの体側部が切り離された状態で裁断する。袖４ａのない側も前身頃６ａと後身頃８ａの体側部が切り離された状態で裁断する。また、袖４ａの脇下部分に縫付けるまち５ａを裁断する。裁断後、袖４ａの後ろ袖部分にまち５ａの一辺を縫付け、その後、前身頃６ａと後身頃８ａの袖４ａの側１０ａの体側部分及び袖４ａの前袖部分とまち５ａとを縫付ける。その後に前身頃６ａの袖４ａのない側の端辺１２ａ近傍にスナップボタン１４ａの凹型（上型）１５ａを、後身頃８ａの袖４ａのない側の端辺１３ａ近傍にスナップボタン１４ａの凸型（下型）１６ａを取付ける。このほか必要に応じて、裾の始末などを行なう。片袖衣服２ｂも同様にして作ることができる。
【００２５】
上記要領で製造された介護用衣服１は、裁断の時点で前身頃６ａ、後身頃８ａ及び袖４ａが繋がっているので、以下のようなメリットがある。裁断、縫製工程が少ないため製造が簡単であり、低コストで製造することができる。また肩、及び袖４ａと身頃との部分に縫い目がないので、ごわつきがなく肩、腕にフィットし、寝たきりの状態で着用していても、体にフィットしているので窮屈ではない。また縫製箇所が少ないので、ほつれも少なくなり耐久性に優れる。一般的な衣服にはない脇の部分にまちを付けることで、生地の伸縮性との相乗効果によりいっそう腕の動きが楽となる。さらに介護用衣服１の着衣、脱衣がいっそう楽である。なお、本発明に係る介護用衣服１は、上記の製造方法で製造された介護用衣服に限定されるものでなく、例えば公知の衣服の製造方法の一つである、袖４ａと前身頃６ａと後身頃８ａとを別々に裁断し、それらを縫製して製造された介護用衣服であってもよいことはもちろんである。また上記実施形態では、袖４ａ、４ｂにまち５ａ、５ｂを設ける例を示したけれども、まち５ａ、５ｂはなくてもよい。
【００２６】
次ぎに介護用衣服１を寝たきりの被介護者１００に着用させる手順を説明する。まず図３（Ａ）に示す様に、右側用の片袖衣服２ａのスナップボタン１４ａを全て外し、被介護者１００の右腕１０４に袖４ａを通し、被介護者１００の体を軽く横向けの状態にして後身頃８ａを体の下に通す。次に、図３（Ｂ）に示す様に、被介護者１００の身体を仰向けにし、左側脇下体側部１０６で前身頃６ａと後身頃８ａとをスナップボタン１４ａにより連結する。
【００２７】
次ぎに、図３（Ｃ）に示す様に、右側用の片袖衣服２ａと同じく、左側用の片袖衣服２ｂのスナップボタン１４ｂを全て外し、被介護者１００の左腕１０８に袖４ｂを通し、被介護者１００の体を軽く横向けの状態にして後身頃８ｂを体の下に通す。次に、図３（Ｄ）に示す様に、被介護者１００の身体を仰向けにし、右側脇下体側部１１０で前身頃６ｂと後身頃８ｂとをスナップボタン１４ｂにより連結する。これにより介護用衣服１の着用が完了する。
【００２８】
上記のように介護用衣服１は、着用のとき一対の片袖衣服２ａ、２ｂを互いに連結させる必要がないので、被介護者１００の姿勢を横向け、仰向けにする回数が少なく、かつ横向けの姿勢を維持する必要がないので、介護者及び被介護者１００に大きな負担を与えることなく着用させることができる。また介護用衣服１は着用のとき、横向け、仰向けの回数が少ないのみならず、介護用衣服１を着せるときの横向きの姿勢も完全に真横にする必要がない。片袖衣服２ａ、２ｂは、後身頃８ａ（８ｂ）が背中部分を覆うことができる大きさであるので、被介護者１００の姿勢を真横にする必要はなく、少し横に傾けた状態で片袖衣服２ａ、２ｂを着用させることができる。さらに介護用衣服１は、一対の片袖衣服２ａ、２ｂを互いに連結させる必要がないので、腕に硬縮がある被介護者１００でも着用に際し、無理に腕を伸ばす必要がなく苦痛無く着用させることができる。これらについては、着衣のみならず脱衣時も同じである。また介護用衣服１は、右側用の片袖衣服２ａと左側用の片袖衣服２ｂとが連結されないので、一方の腕又は肩の動きが他方に伝わらず、被介護者１００は着ていて楽である。
【００２９】
また介護用衣服１は、着衣、脱衣時の介護者及び被介護者１００の肉体的負担が少ないのみならず、被介護者１００の精神的負担も少ない。介護用衣服１は、一方の片袖衣服２ａ（２ｂ）を着用した時点で、既に胴体部分は完全に覆われ、露出しているのはいずれか一方の肩のみであるので、着せ替え時の肌の露出がごく短時間で済み、被介護者１００の精神的苦痛を最小限に抑えることができる。
【００３０】
また介護用衣服１は、前身頃６ａ（６ｂ）と後身頃８ａ（８ｂ）とを開閉着脱可能に連結する連結手段に複数個のスナップボタン１４ａ（１４ｂ）を用いているので、前身頃６ａ（６ｂ）と後身頃８ａ（８ｂ）とを面で連結させることができる。これにより片袖衣服２ａ（２ｂ）を着用したときしわができにくく、寝たきりの老人などの場合であっても着衣のしわに起因する床ずれが起こりにくい。さらに伸縮性の生地で作成すれば被介護者１００の体に介護用衣服１がフィットし、よりしわができにくく好ましい。
【００３１】
さらに一対の片袖衣服２ａ、２ｂは、同一の大きさ、形状を有し、左右の区別さらには前後の区別がないので、着用に際して左右、前後を気にする必要がなく簡単に着用することができる。また一対の片袖衣服２ａ、２ｂは、同一の大きさ、形状を有し、左右の区別さらには前後の区別がないので、製造も簡単で安価に製造することができる。男性の場合には、右側用の片袖衣服２ａから先に着用して左前に、女性の場合には、左側用の片袖衣服２ｂから先に着用する事で右前に着ることができ、男女兼用にできる。
【００３２】
図４は、本発明の第二実施形態としての介護用衣服３０を示す立体図である。図５は、本発明の第二実施形態としての介護用衣服３０を組み合わせた状態を示す立体図である。図１から図３に示す介護用衣服１と同一の部材、部分には同一の符号を付して詳細な説明は省略する。
【００３３】
介護用衣服３０は、第一実施形態に示す介護用衣服１と同様に、一対の片袖衣服３２ａ、３２ｂからなる。これらが同一の大きさ、形状を有し、左右の区別さらには前後の区別がない点も第一実施形態に示す介護用衣服１と同じある。基本的な構成、製造要領も介護用衣服１と同じように考えることができるので、以下、右側用の片袖衣服３２ａを用いて、第一実施形態に示す介護用衣服１との相違点を中心に説明する。右側用の片袖衣服３２ａは、丈が足首近くまであり、上半身のみならず下半身も覆うことができる大きさである。片袖衣服３２ａは、片袖衣服３２ａのうち上半身を覆う部分４１ａは片袖衣服２ａと同一であり、大略的には片袖衣服２ａの丈を足首近くまで伸ばしたような衣服である。下半身を覆う部分４３ａは、袖４ａの側１０ａは前身頃３６ａと後身頃３８ａとが縫い合わされており、袖４ａのない側は前身頃３６ａと後身頃３８ａとが完全に分離しており、この部分には前身頃３６ａと後身頃３８ａとを連結する連結手段は設けられておらず、着用したとき体側部にスリットが入ったドレスのような形状となる。
【００３４】
介護用衣服３０は、介護用衣服１と同様に、一対の片袖衣服３２ａ、３２ｂを重ね着するように着用する。介護用衣服３０を着用すると、右側用の片袖衣服３２ａの下半身を覆う部分４３ａの非連結部４５ａと左側用の片袖衣服３２ｂの下半身を覆う部分４３ｂの非連結部４５ｂとの位置が逆となるので、一の片袖衣服３２ａ（３２ｂ）において下半身を覆う部分４３ａ（４３ｂ）の体側部の一方が連結していなくても、裾がはだけることはない。
【００３５】
図６は、本発明の第三実施形態としての介護用衣服５０を示す立体図である。図７は、本発明の第三実施形態としての介護用衣服５０を組み合わせた状態を示す立体図である。図１から図５に示す介護用衣服１、３０と同一の部材、部分には同一の符号を付して詳細な説明は省略する。
【００３６】
介護用衣服５０は、第一及び第二実施形態に示す介護用衣服１、３０とは大きく異なる。第一及び第二実施形態に示す介護用衣服１、３０は、同一の大きさ、同一の形状を有し、左右の区別さらには前後の区別がない一対の片袖衣服で構成されていたが、介護用衣服５０は、一対の片袖衣服の形状が大きく異なる。介護用衣服５０は、第一実施形態に示す右側用の片袖衣服２ａと第二実施形態に示す左側用の片袖衣服３２ｂに近似の片袖衣服とを組み合わせたような介護用衣服である。
【００３７】
左側用の介護用衣服５２ｂは、第二実施形態に示す左側用の片袖衣服３２ｂとほぼ同じ形状、構造からなるが、第二実施形態に示す左側用の片袖衣服３２ｂと異なり、下半身を覆う部分４３ｂにも前身頃５６ｂと後身頃５８ｂとを連結するスナップボタン１４が設けられている。これは介護用衣服５０では、右側用の片袖衣服２ａは上半身のみを覆うため、下半身を覆うのは左側用の片袖衣服５２ｂのみであり、左側用の片袖衣服５２ｂにおいて、下半身を覆う部分４３ｂにも前身頃５６ｂと後身頃５８ｂとを連結する連結手段を設けないと裾がはだけ下半身が露出する恐れがあることによる。なお、介護用衣服５０において、第一実施形態に示す左側用の片袖衣服２ｂと第二実施形態に示す右側用の片袖衣服３２ａに近似の片袖衣服としてもよいことは言うまでもない。
【００３８】
第二及び第三実施形態に示す介護用衣服３０、５０は、第一実施形態に示す介護用衣服１とほぼ同じ作用効果を奏する他、裾丈が長いので寝巻きとして使用することができる。ズボンを別途着用する必要がないので、介護者及び被介護者１００の精神的、肉体的負担をより軽減することができる。
【図面の簡単な説明】
【００３９】
【図１】本発明の第一実施形態としての介護用衣服１を示す立体図である。
【図２】本発明の第一実施形態としての介護用衣服１を組み合わせた状態を示す立体図である。
【図３】本発明の第一実施形態としての介護用衣服１を被介護者１００に着用させる手順を示す図である。
【図４】本発明の第二実施形態としての介護用衣服３０を示す立体図である。
【図５】本発明の第二実施形態としての介護用衣服３０を組み合わせた状態を示す立体図である。
【図６】本発明の第三実施形態としての介護用衣服５０を示す立体図である。
【図７】本発明の第三実施形態としての介護用衣服５０を組み合わせた状態を示す立体図である。
【符号の説明】
【００４０】
１  介護用衣服
２ａ、２ｂ  片袖衣服
４ａ、４ｂ  袖
５ａ、５ｂ  まち
６ａ、６ｂ  前身頃
８ａ、８ｂ  後身頃
１０ａ、１０ｂ  袖の側
１２ａ、１２ｂ  前身頃の袖のない側の端辺
１３ａ、１３ｂ  後身頃の袖のない側の端辺
１４ａ、１４ｂ  スナップボタン
１５ａ、１５ｂ  スナップボタンの凹型
１６ａ、１６ｂ  スナップボタンの凸型
３０  介護用衣服
３２ａ、３２ｂ  片袖衣服
３６ａ、３６ｂ  前身頃
３８ａ、３８ｂ  後身頃
４１ａ、４１ｂ  上半身を覆う部分
４３ａ、４３ｂ  下半身を覆う部分
４５ａ、４５ｂ  下半身を覆う部分の非連結部
５０  介護用衣服
５２ｂ  片袖衣服
５６ｂ  前身頃
５８ｂ  後身頃
１００  被介護者
１０２  左肩部
１０４  右腕
１０６  左側脇下体側部
１０８  左腕
１１０  右側脇下体側部
【図１】
2010084296.tif 000003
【図２】
2010084296.tif 000004
【図３】
2010084296.tif 000005
【図４】
2010084296.tif 000006
【図５】
2010084296.tif 000007
【図６】
2010084296.tif 000008
【図７】
2010084296.tif 000009